(57)【要約】【課題】  変倍による開放Ｆナンバーの変動を小さくして収差補正を容易とし、小型化、高変倍化や広角化が可能でビデオカメラやデジタルカメラに適したズームレンズ。【解決手段】  負屈折力の第１群Ｇ１、開口面積が可変の開口絞りＳ、正屈折力の第２群Ｇ２を有し、広角端から望遠端への変倍をする際に各群の間隔を変えることにより変倍し、変倍比が３．４倍以上を有し、開口絞りＳは変倍の際に第２群Ｇ２の移動方向と同方向に移動し、開口絞りＳの撮影時の開口部の最大面積が、望遠端よりも広角端にて小さくなるように構成し、第１群Ｇ１の焦点距離をズームレンズの平均焦点距離にて規定した条件式（１）と、広角端での撮影時における開口絞りの開口部の最大面積と望遠端での撮影時における開口絞りの開口部の最大面積との比を規定する条件式（２）を満足する。【選択図】        図１
2005099091.tif 000002
【特許請求の範囲】
【請求項１】
物体側より順に、負の屈折力の第１レンズ群、開口面積が可変の開口絞り、正の屈折力の第２レンズ群を有し、広角端から望遠端への変倍をする際に各レンズ群の間隔を変えることにより変倍し、変倍比が３．４倍以上を有し、前記開口絞りは変倍の際に第２レンズ群の移動方向と同方向に移動し、前記開口絞りの撮影時の開口部の最大面積が、望遠端よりも広角端にて小さくなるように構成し、以下の条件式（１）、（２）を満足することを特徴とするズームレンズ。
−２＜ｆ1 ／√（ｆT ・ｆW ）＜−１                            ・・・（１）
１．０５＜ＳT ／ＳW ＜４                                      ・・・（２）
ただし、ｆ1 ：第１レンズ群の焦点距離、
ｆW ：広角端におけるズームレンズ全系の焦点距離、
ｆT ：望遠端におけるズームレンズ全系の焦点距離、
ＳW ：広角端での撮影時における開口絞りの開口部の最大面積、
ＳT ：望遠端での撮影時における開口絞りの開口部の最大面積、
である。
【請求項２】
前記第１レンズ群は少なくとも１枚の非球面を含む負レンズと正レンズからなり、前記第２レンズ群は少なくとも１面の非球面を有し、前記第２レンズ群の像側に第３レンズ群を有し、前記第３レンズ群を移動することにより近距離物点への合焦を行うことを特徴とする請求項１記載のズームレンズ。
【請求項３】
前記開口絞りの開口形状は、望遠端での撮影時での最大開口形状は略円形であり、広角端での撮影時での最大開口形状は７枚以下の絞り羽根により形成される形状であることを特徴とする請求項１又は２記載のズームレンズ。
【請求項４】
前記開口絞りの開口形状は、広角端では２枚の絞り羽根により形成される形状であることを特徴とする請求項３記載のズームレンズ。
【請求項５】
以下の条件式（３）、（４）を満たすことを特徴とする請求項１から４の何れか１項記載のズームレンズ。
−０．０１＜ＭW ／ｆW ＜−０．００２                          ・・・（３）
−０．００６＜ＭT ／ｆW ＜０．０１５                          ・・・（４）
ただし、ＭW ：広角端での撮影時における開口絞りの開口部の最大面積と同じ面積を持つ光軸を中心とした円の開口比の０．７倍の位置でのｄ線での球面収差量、
ＭT ：望遠端での撮影時における開口絞りの開口部の最大面積と同じ面積を持つ光軸を中心とした円の開口比の０．７倍の位置でのｄ線での球面収差量、
ｆW ：広角端におけるズームレンズ全系の焦点距離、
である。
【請求項６】
前記第１レンズ群は、物体側から順に、物体側に凸面を向けた２枚以下の負メニスカスレンズと、物体側に凸面を向けた１枚の正メニスカスレンズとからなることを特徴とする請求項１から５の何れか１項記載のズームレンズ。
【請求項７】
前記第１レンズ群は物体側に凸面を向けた負メニスカスレンズを有し、かつ、その負レンズの全ては物体側の面がマルチコートであり、像側の面が単層コートであることを特徴とする請求項１から６の何れか１項記載のズームレンズ。
【請求項８】
前記第２レンズ群は、物体側から順に、物体側に凸面を向けた正レンズ、物体側に凸面を向けた正レンズ、負レンズ、正レンズの４枚のレンズからなることを特徴とする請求項１から７の何れか１項記載のズームレンズ。
【請求項９】
前記第２レンズ群の前記負レンズが隣り合う何れかの正レンズと接合されていることを特徴とする請求項８記載のズームレンズ。
【請求項１０】
前記第２レンズ群の前記負レンズが隣り合う物体側の正レンズと接合され、かつ、像面側が凹面で空間に接してなることを特徴とする請求項９記載のズームレンズ。
【請求項１１】
前記第２レンズ群の像側に、２枚以下のレンズからなる正屈折力の第３レンズ群を配し、３群ズームレンズとして構成したことを特徴とする請求項１から１０の何れか１項記載のズームレンズ。
【請求項１２】
前記第２レンズ群の像側に、正の屈折力の第３レンズ群を有する３群ズームレンズとして構成し、前記第３レンズ群を移動することにより近距離物点への合焦を行い、以下の条件式を満足することを特徴とする請求項１から１１の何れか１項記載のズームレンズ。
１．０＜ｆ2 ／√（ｆT ・ｆW ）＜２．０                        ・・・（５）
１．６＜ｆ3 ／√（ｆT ・ｆW ）＜３．６                        ・・・（６）
ただし、ｆ2 ：第２レンズ群の焦点距離、
ｆ3 ：第３レンズ群の焦点距離、
である。
【請求項１３】
前記ズームレンズを３群以下の構成のズームレンズとして構成したことを特徴とする請求項１から１０の何れか１項記載のズームレンズ。
【請求項１４】
広角端での前記第１レンズ群の最像側面と前記開口絞りとの間隔が以下の条件式を満足することを特徴とする請求項１から１３の何れか１項記載のズームレンズ。
−３．０＜Ｄ1S／ｆ1 ＜−０．８                                ・・・（７）
ただし、Ｄ1S：広角端での第１レンズ群の最像側面と開口絞りとの間隔、
である。
【請求項１５】
請求項１から１４の何れか１項記載のズームレンズ、及び、その像側に配された電子撮像素子を備えたことを特徴とする電子撮像装置。
【請求項１６】
広角端における撮影画角が７０°以上であることを特徴とする請求項１５記載の電子撮像装置。
【請求項１７】
下記の条件式（８）を満たすことを特徴とする請求項２、１１又は１２記載のズームレンズ、及び、その像側に配された電子撮像素子を備えたことを特徴とする電子撮像装置。
Ｄ11＞Ｄ12＞Ｄ31＞Ｄ22＞Ｄ21                                  ・・・（８）
ただし、Ｄ11：第１レンズ群の最物体側面の全変倍域における最大有効径、
Ｄ12：第１レンズ群の最像側面の全変倍域における最大有効径、
Ｄ31：第３レンズ群の最物体側面の全変倍域における最大有効径、
Ｄ22：第２レンズ群の最像側面の全変倍域における最大有効径、
Ｄ21：第２レンズ群の最物体側面の全変倍域における最大有効径、
である。
【請求項１８】
ズーム状態に応じた最大開口面積に対応する情報を持つ記憶手段と、前記記憶手段からの情報及びズーム状態の情報から前記開口絞りの撮影時の最大開口面積を制御する制御手段とを備えたことを特徴とする請求項１５から１７の何れか１項記載の電子撮像装置。
【発明の詳細な説明】
【技術分野】
【０００１】
本発明は、ズームレンズ及びそれを用いた電子撮像装置に関し、特に、ビデオカメラやデジタルカメラに適したズームレンズ及びそれを用いた電子撮像装置に関するものである。
【背景技術】
【０００２】
近年、銀塩３５ｍｍフィルム（通称ライカ版）カメラに代わる次世代カメラとして、デジタルカメラ（電子カメラ）が注目されてきている。特に、ズーム比やＦ値等の仕様を高く設定するに有利であるとされる、最も物体側のレンズ群が正の屈折力を有するいわゆる正先行型ズームレンズは、各々のレンズ素子の厚みやデッドスペースが大きく、沈胴したときの厚みが厚くなりやすい（特許文献１）。負先行型で特に３群以下の構成のズームレンズは、その点有利である。高変倍化及び広角化を達成するために、各レンズ群の屈折力配置や群内のレンズ構成を適切に設定しなければならないが、負先行型で高変倍化を行うと、望遠端でのＦナンバーが大きくなりやすく、回折の影響による結像性能劣化が顕著となり、高画質化が困難である。また、撮像素子の高画素化に伴い、画素の微細化による感度不足を補うために、光学系は望遠端においても十分な明るさを保つ必要がある。従来技術においては、例えば特許文献２に変倍比が３．５倍以上のものもある。
【特許文献１】特開平１１−２５８５０７号公報
【特許文献２】特開２００２−２６７９３０号公報
【発明の開示】
【発明が解決しようとする課題】
【０００３】
しかしながら、従来技術における負先行の高変倍ズームレンズにおいては、望遠端のＦナンバーに対して広角端のＦナンバーが小さくなりずぎるため、収差補正のために構成枚数が多くレンズ系の厚みが大きくならざるを得ない。このように、従来技術においては、十分な収差補正をしつつ高変倍化と沈胴時等での小型化を両立するのは困難であった。
【０００４】
本発明は従来技術のこのような問題に鑑みてなされたものであり、その目的は、従来技術よりも変倍による開放Ｆナンバーの変動を小さくすることで収差補正を容易とし、かつ、小型化、高変倍化や広角化が可能で、ビデオカメラやデジタルカメラに適したズームレンズ及びそれを用いた電子撮像装置を提供することである。
【課題を解決するための手段】
【０００５】
上記目的を達成する本発明の第１のズームレンズは、物体側より順に、負の屈折力の第１レンズ群、開口面積が可変の開口絞り、正の屈折力の第２レンズ群を有し、広角端から望遠端への変倍をする際に各レンズ群の間隔を変えることにより変倍し、変倍比が３．４倍以上を有し、前記開口絞りは変倍の際に第２レンズ群の移動方向と同方向に移動し、前記開口絞りの撮影時の開口部の最大面積が、望遠端よりも広角端にて小さくなるように構成し、以下の条件式（１）、（２）を満足することを特徴とするものである。
【０００６】
−２＜ｆ1 ／√（ｆT ・ｆW ）＜−１                            ・・・（１）
１．０５＜ＳT ／ＳW ＜４                                      ・・・（２）
ただし、ｆ1 ：第１レンズ群の焦点距離、
ｆW ：広角端におけるズームレンズ全系の焦点距離、
ｆT ：望遠端におけるズームレンズ全系の焦点距離、
ＳW ：広角端での撮影時における開口絞りの開口部の最大面積、
ＳT ：望遠端での撮影時における開口絞りの開口部の最大面積、
である。
【０００７】
以下に、本発明の第１のズームレンズにおいて、上記のような構成をとる理由と作用を説明する。
【０００８】
負の屈折力の第１レンズ群、開口面積が可変の開口絞り、変倍時に絞りの移動と同方向に移動する正の屈折力の第２レンズ群の順に配置することで、その部分をレトロフォーカスタイプに構成し、広画角化しやすく、正先行タイプのズームレンズと比較して、第１レンズ群の径が小さく構成できるので、鏡筒を大型化せず小型のズームレンズとすることが容易となる。
【０００９】
また、入射側から見た開口絞りの像が望遠側程拡大されるため、Ｆナンバーの変化を抑えやすくなる。
【００１０】
このとき、変倍比が３．４倍を越える高変倍ズームレンズとして構成すると、前述の通りＦナンバーの変化が大きくなりすぎるため、小型のレンズ構成での収差補正が難しくなる。
【００１１】
そこで、本発明においては、このような変倍比が３．４倍を越える高変倍の負先行ズームレンズの更なる小型、高性能化のため、開口絞りの撮影時の開口部の最大面積が、望遠端よりも広角端にて小さくなるように構成している。それにより、Ｆナンバーの変化を小さく抑えている。
【００１２】
この変倍比に関し、下限値の変倍比３．４に満たないと、可変絞りの開口部の最大面積を一定にしても光学性能への影響は少なくなり、広角端にて絞りの開口面積を小さくすることのメリットが小さくなる。
【００１３】
また、付随的効果として、絞りよりも前方に位置する群の径は、広角端近辺の有効光束の影響が大きいが、広角端での絞りの開口面積が小さくなると、絞りよりも前のレンズ径を小さくできる効果もある。特に、径の小型化の影響は、絞りよりも前に負の屈折力のレンズ群が１群のみであると、その小型化の効果が大である。
【００１４】
本願発明は、その上で、条件式（１）と（２）を満たす構成としている。
【００１５】
条件式（１）は、ズームレンズ全体をコンパクトにするために第１レンズ群の焦点距離をズームレンズの平均焦点距離にて規定したものである。
【００１６】
条件式（１）の上限値−１を越えて第１レンズ群の焦点距離が短くなると、望遠端での第２レンズ群の倍率が大きくなりすぎるために、製造誤差による性能劣化が大きくなりやすくなる。また、第２レンズ群の径も大きくなりやすくなる。一方、下限値の−２を越えて第１レンズ群の焦点距離が長くなると、広角端におけるレンズ系全長が大きくなり、第１レンズ群の径が大きくなりやすく、ボディ全体が大きくなったり、デザインへの制約が大きくなる。また、第１レンズ群に非球面を用いる場合、非球面レンズの加工が高コストとなる。
【００１７】
条件式（２）は、広角端での撮影時における開口絞りの開口部の最大面積ＳW と望遠端での撮影時における開口絞りの開口部の最大面積ＳT との比を規定するものである。
【００１８】
上述のような負先行のズーム構成で高変倍比化をしようとすると、望遠側においては開放絞り面積（撮影時における開口絞りの開口部の最大面積）が小さいと、回折の影響で解像力が低下しやすいので、開放絞りの面積を大きくした方がよい。条件式（２）の下限値の１．０５を越えてその開放絞りの面積の比が小さくなると、望遠端での開放絞り面積が小さくなり回折の影響が出やすくなるか、若しくは、広角端における開放絞り面積が大きくなりコマ収差の補正が困難となる。一方、上限値の４を越えると、広角端での開放絞りが小さくなりすぎ、光量調整の制限が大きくなる。
【００１９】
なお、条件式（１）について、下限値を−１．７、さらには−１．６としてもよい。
【００２０】
また、条件式（１）について、上限値を−１．２、さらには−１．３５としてもよい。
【００２１】
また、条件式（２）について、下限値を１．２、さらには１．３としてもよい。
【００２２】
また、条件式（２）について、上限値を３、さらには２としてもよい。
【００２３】
また、変倍比に上限値を設けて、変倍比が５．５倍を越えないように構成するとよい。変倍比が５．５倍を越えるズームレンズとする場合、正レンズ群が先行するズームレンズとした方が高変倍比化が行いやすくなる。
【００２４】
本発明の第２のズームレンズは、第１のズームレンズにおいて、前記第１レンズ群は少なくとも１枚の非球面を含む負レンズと正レンズからなり、前記第２レンズ群は少なくとも１面の非球面を有し、前記第２レンズ群の像側に第３レンズ群を有し、前記第３レンズ群を移動することにより近距離物点への合焦を行うことを特徴とするものである。
【００２５】
以下に、本発明の第２のズームレンズにおいて、上記のような構成をとる理由と作用を説明する。
【００２６】
広角端における画角を広くするためには、負の屈折力を持つ第１レンズ群に非球面を設けた負レンズを配するのがよい。そして、第１レンズ群の正レンズとにて色収差等の補正が行いやすくできる。また、第２レンズ群は主たる屈折力を持つことになるが、非球面を設けることで、軸上乃至軸外収差の補正が行いやすくなる。また、第３レンズ群によるリアフォーカス方式にすることで、鏡筒を簡素かつ小型に構成できる。
【００２７】
本発明の第３のズームレンズは、第１、第２のズームレンズにおいて、前記開口絞りの開口形状は、望遠端での撮影時での最大開口形状は略円形であり、広角端での撮影時での最大開口形状は７枚以下の絞り羽根により形成される形状であることを特徴とするものである。
【００２８】
以下に、本発明の第３のズームレンズにおいて、上記のような構成をとる理由と作用を説明する。
【００２９】
望遠端においては被写界深度が浅くなるため、ボケ味を美しくするためには、開放絞りの形状はなるべく円形に近い方が好ましい。具体的には、光軸を含む開口部の径の最小長÷最大長が０．９５以上である略円形であることが好ましい。広角側では、開放絞りを望遠端よりも小さくするために、望遠端での開放絞りとなる円形開口に重ねるように絞り羽根を配置し、小さい開口部を形成するとよい。絞り羽根の枚数が多い方が広角端においても円形開口に近くなるのでボケ味の面では好ましいが、第１レンズ群、第２レンズ群間の絞り部材の厚みが厚くなると、沈胴時の厚さが厚くなったり、望遠側で第１レンズ群、第２レンズ群間を狭くできず、高変倍比化に不利となるので、羽根の枚数は７枚以下が好ましい。
【００３０】
本発明の第４のズームレンズは、第３のズームレンズにおいて、前記開口絞りの開口形状は、広角端では２枚の絞り羽根により形成される形状であることを特徴とするものである。
【００３１】
以下に、本発明の第４のズームレンズにおいて、上記のような構成をとる理由と作用を説明する。
【００３２】
絞り羽根を２枚で構成することにより、絞り部材を簡単にでき、望遠端における第１レンズ群、第２レンズ群間の間隔を小さくしやすくなり、高変倍比化に有利となる。
【００３３】
本発明の第５のズームレンズは、第１〜第４のズームレンズにおいて、以下の条件式（３）、（４）を満たすことを特徴とするものである。
【００３４】
−０．０１＜ＭW ／ｆW ＜−０．００２                          ・・・（３）
−０．００６＜ＭT ／ｆW ＜０．０１５                          ・・・（４）
ただし、ＭW ：広角端での撮影時における開口絞りの開口部の最大面積と同じ面積を持つ光軸を中心とした円の開口比の０．７倍の位置でのｄ線での球面収差量、
ＭT ：望遠端での撮影時における開口絞りの開口部の最大面積と同じ面積を持つ光軸を中心とした円の開口比の０．７倍の位置でのｄ線での球面収差量、
ｆW ：広角端におけるズームレンズ全系の焦点距離、
である。
【００３５】
以下に、本発明の第５のズームレンズにおいて、上記のような構成をとる理由と作用を説明する。
【００３６】
広角端から望遠端までバランス良く収差を抑えるためには、条件式（３）、（４）を同時に満足するように、広角端の球面収差をやや補正不足気味にし、望遠端では球面収差量を０近辺乃至補正過剰気味にするとよい。
【００３７】
条件式（３）の下限値−０．０１を越えて広角端での負の球面収差が大きくなると、広角端側での解像度の劣化が目立つようになる。
【００３８】
条件式（３）の上限値の−０．００２を越えると、条件式（４）を満足するためにレンズ枚数が多くなりがちになる。
【００３９】
条件式（４）の下限値の−０．００６を越えて望遠端での球面収差が補正不足になると、条件式（３）を満足する収差補正を行うためにはレンズ枚数が多くなりがちになる。
【００４０】
条件式（４）の上限値の０．０１５を越えて望遠端での球面収差が補正過剰になると、望遠端側での解像度の劣化が目立つようになる。
【００４１】
さらには、条件式（３）の下限値を−０．００８、さらには−０．００７としてもよい。
【００４２】
又は、条件式（３）の上限値を−０．００３としてもよい。
【００４３】
又は、条件式（４）の下限値を−０．００２、さらには０としてもよい。さらに０．００３としてもよい。
【００４４】
条件式（４）の上限値を０．０１、さらには０．００８としてとよい。
【００４５】
本発明の第６のズームレンズは、第１〜第５のズームレンズにおいて、前記第１レンズ群は、物体側から順に、物体側に凸面を向けた２枚以下の負メニスカスレンズと、物体側に凸面を向けた１枚の正メニスカスレンズとからなることを特徴とするものである。
【００４６】
以下に、本発明の第６のズームレンズにおいて、上記のような構成をとる理由と作用を説明する。
【００４７】
このように構成することにより、最軸外光束を緩やかに屈折させ、また、負レンズと正レンズを有する構成とすることで色収差等の補正も行いやすくなり、広画角なズームレンズを構成できる。
【００４８】
本発明の第７のズームレンズは、第１〜第６のズームレンズにおいて、前記第１レンズ群は物体側に凸面をむけた負メニスカスレンズを有し、かつ、その負レンズの全ては物体側の面がマルチコートであり、像側の面が単層コートであることを特徴とするものである。
【００４９】
以下に、本発明の第７のズームレンズにおいて、上記のような構成をとる理由と作用を説明する。
【００５０】
メニスカスレンズの曲率半径の大きい物体側の面にはマルチコートを施し、反射率を下げることにより、ゴースト光の影響を低減できる。曲率半径の小さい像面側の面は単層コートとした方が、レンズ周辺部の反射率を安定させやすい。
【００５１】
本発明の第８のズームレンズは、第１〜第７のズームレンズにおいて、前記第２レンズ群は、物体側から順に、物体側に凸面を向けた正レンズ、物体側に凸面を向けた正レンズ、負レンズ、正レンズの４枚のレンズからなることを特徴とするものである。
【００５２】
以下に、本発明の第８のズームレンズにおいて、上記のような構成をとる理由と作用を説明する。
【００５３】
第２レンズ群は主たる変倍を行うために移動するため、収差変動を抑えるために、第２群を、正レンズ成分、負レンズ成分、正レンズ成分として構成し、諸収差を補正しやすくすることが好ましい。
【００５４】
さらに、主点を物体側寄りにして高変倍比化をしやすくするために、正レンズ成分を２枚の物体側に凸面を向けた正レンズとすることが好ましい。
【００５５】
したがって、第２レンズ群は、物体側から順に、物体側に凸面を向けた正レンズ、物体側に凸面を向けた正レンズ、負レンズ、正レンズの４枚のレンズとすると、少ないレンズ枚数ながら高変倍比化による収差変動を抑えることができる。
【００５６】
本発明の第９のズームレンズは、第８のズームレンズにおいて、前記第２レンズ群の前記負レンズが隣り合う何れかの正レンズと接合されていることを特徴とするものである。
【００５７】
以下に、本発明の第９のズームレンズにおいて、上記のような構成をとる理由と作用を説明すると、さらに、色収差を良好に補正できる。
【００５８】
本発明の第１０のズームレンズは、第９のズームレンズにおいて、前記第２レンズ群の前記負レンズが隣り合う物体側の正レンズと接合され、かつ、像面側が凹面で空間に接してなることを特徴とするものである。
【００５９】
以下に、本発明の第１０のズームレンズにおいて、上記のような構成をとる理由と作用を説明すると、色収差補正機能を確保しつつ、第２レンズ群の主点を物体側寄りに位置させやすくなる。
【００６０】
本発明の第１１のズームレンズは、第１〜第１０のズームレンズにおいて、前記第２レンズ群の像側に、２枚以下のレンズからなる正屈折力の第３レンズ群を配し、３群ズームレンズとして構成したことを特徴とするものである。
【００６１】
以下に、本発明の第１１のズームレンズにおいて、上記のような構成をとる理由と作用を説明する。
【００６２】
このように構成すると、沈胴時の厚さの増大を抑えつつ、像側への射出光束を平行にしやすくなる。特に、電子撮像素子を有する電子撮像装置に用いるズームレンズに適したものである。第３レンズ群はレンズ１枚としても、小型化の点で好ましい。
【００６３】
本発明の第１２のズームレンズは、第１〜第１１のズームレンズにおいて、前記第２レンズ群の像側に、正の屈折力の第３レンズ群を有する３群ズームレンズとして構成し、前記第３レンズ群を移動することにより近距離物点への合焦を行い、以下の条件式を満足することを特徴とする請求項１から１１の何れか１項記載のズームレンズ。
【００６４】
１．０＜ｆ2 ／√（ｆT ・ｆW ）＜２．０                        ・・・（５）
１．６＜ｆ3 ／√（ｆT ・ｆW ）＜３．６                        ・・・（６）
ただし、ｆ2 ：第２レンズ群の焦点距離、
ｆ3 ：第３レンズ群の焦点距離、
である。
【００６５】
以下に、本発明の第１２のズームレンズにおいて、上記のような構成をとる理由と作用を説明する。
【００６６】
本発明は、特に、負の屈折力の第１レンズ群、正屈折力の第２レンズ群、正屈折力の第３レンズ群からなる構成とすると、小型化と高変倍比化、及び、テレセントリック状態を保ちやすく構成できるので、前述の条件を満足するように適度な屈折力を持たせるとよい。
【００６７】
第２レンズ群の焦点距離の条件式（５）の下限値の１．０を越えると、第２レンズ群の焦点距離が短くなりすぎ、収差が出やすく、上限値の２．０を越えると、第２レンズ群の移動量が大きくなり、小型化が難しくなる。
【００６８】
さらには、条件式（５）の下限値を１．１、さらには１．３、さらには１．５としてよい。
【００６９】
また、その上限値を、１．８、さらには１．７としてよい。
【００７０】
第３レンズ群の焦点距離の条件式（６）の下限値の１．６を越えると、高変倍比化したときの射出光束の角度変化が大きくなり、テレセントリック性の確保が難しくなり、上限値の３．６を越えると、第３レンズ群の移動でフォーカシングするときの移動量が大きくなり、移動機構を含めて小型化が難しくなる。
【００７１】
さらには、条件式（６）の下限値を１．８、さらには２．０、さらには２．５としてよい。
【００７２】
また、その上限値を、３．２、さらには３．０としてよい。
【００７３】
本発明の第１３のズームレンズは、第１〜第１０のズームレンズにおいて、前記ズームレンズを３群以下の構成のズームレンズとして構成したことを特徴とするものである。
【００７４】
以下に、本発明の第１３のズームレンズにおいて、上記のような構成をとる理由と作用を説明する。
【００７５】
このように構成すると、移動機構を簡単にでき、沈胴時の厚さを小さくできる。特に、負、正、正構成の３群ズームレンズとすると、負・正タイプの２群ズームレンズを基本とし、最終正レンズ群にて瞳を遠ざけることができるので、小型の電子撮像装置に適するものとなる。
【００７６】
本発明の第１４のズームレンズは、第１〜第１３のズームレンズにおいて、広角端での前記第１レンズ群の最像側面と前記開口絞りとの間隔が以下の条件式を満足することを特徴とするものである。
【００７７】
−３．０＜Ｄ1S／ｆ1 ＜−０．８                                ・・・（７）
ただし、Ｄ1S：広角端での第１レンズ群の最像側面と開口絞りとの間隔、
である。
【００７８】
以下に、本発明の第１４のズームレンズにおいて、上記のような構成をとる理由と作用を説明する。
【００７９】
この条件式（７）は全長の増大を抑え、高変倍比をしやすくするための条件である。その下限値の−３．０を越えると、広角端での全長が長くなるか、第１レンズ群の焦点距離が短くなり収差が出やすくなる。上限値の−０．８を越えると、広角端での面間隔が短くなり、高変倍比化が難しくなる。
【００８０】
さらには、条件式（５）の下限値を−２．５、さらには−２とすると、広角端での全長を短くできる。
【００８１】
または、条件式（５）の上限値を−１．２、さらには−１．６とすると、より高変倍比化しやすくなる。
【００８２】
本発明の第１５の電子撮像装置は、第１〜第１４のズームレンズ、及び、その像側に配された電子撮像素子を備えたことを特徴とするものである。
【００８３】
以下に、本発明の第１５の電子撮像装置において、上記のような構成をとる理由と作用を説明すると、以上の本発明のズームレンズは、小型な電子撮像装置に用いることに適している。
【００８４】
本発明の第１６の電子撮像装置は、第１５の電子撮像装置において、広角端における撮影画角が７０°以上であることを特徴とするものである。
【００８５】
以下に、本発明の第１６の電子撮像装置において、上記のような構成をとる理由と作用を説明すると、変倍比の大きいズームレンズでかつ広角端の撮影画角を７０°以上としたズームレンズでは、条件式（１）及び条件式（２）を満足することによる効果が高まるので好ましい。
【００８６】
本発明の第１７の電子撮像装置は、下記の条件式（８）を満たすことを特徴とする第２、第１１、第１２のズームレンズ、及び、その像側に配された電子撮像素子を備えたことを特徴とするものである。
【００８７】
Ｄ11＞Ｄ12＞Ｄ31＞Ｄ22＞Ｄ21                                  ・・・（８）
ただし、Ｄ11：第１レンズ群の最物体側面の全変倍域における最大有効径、
Ｄ12：第１レンズ群の最像側面の全変倍域における最大有効径、
Ｄ31：第３レンズ群の最物体側面の全変倍域における最大有効径、
Ｄ22：第２レンズ群の最像側面の全変倍域における最大有効径、
Ｄ21：第２レンズ群の最物体側面の全変倍域における最大有効径、
である。
【００８８】
以下に、本発明の第１７のズームレンズにおいて、上記のような構成をとる理由と作用を説明する。
【００８９】
第１レンズ群は、物体側程大きい径にした方が、群全体を小さく保ったまま広画角の光線を通すことができる。第２レンズ群以降は、像面側程大きい径とし、レンズの物体側で枠に接する構造とした方が、枠の内径とレンズの外径の製造誤差によるレンズの偏心に起因するコマ収差や像面湾曲を小さくすることができる。また、絞りから遠いレンズの外径は大きくした方が、撮影画像の周辺光量の低下を小さくできる。
【００９０】
また、第２レンズ群の最大有効径が最像側にて大であると、第２レンズ群に入射した光束の第２レンズ群中のレンズ縁での反射が少なくできるので、それによるゴースト発生の低減も行いやすくなる。
【００９１】
本発明の第１８の電子撮像装置は、第１５〜第１７の電子撮像装置において、ズーム状態に応じた最大開口面積に対応する情報を持つ記憶手段と、前記記憶手段からの情報及びズーム状態の情報から前記開口絞りの撮影時の最大開口面積を制御する制御手段とを備えたことを特徴とするものである。
【００９２】
以下に、本発明の第１８の電子撮像装置において、上記のような構成をとる理由と作用を説明すると、制御手段により、ズーム状態と記憶手段での情報を基にして撮影時の最大開口面積が制御される。
【発明の効果】
【００９３】
以上の本発明によると、従来技術よりも変倍による開放Ｆナンバーの変動を小さくすることで収差補正が容易で、また、小型化、高変倍化や広角化が可能で、ビデオカメラやデジタルカメラに適したズームレンズとそれを用いた電子撮像装置を提供することができる。
【発明を実施するための最良の形態】
【００９４】
以下、本発明のズームレンズの実施例１〜７について説明する。実施例１〜７の無限遠物点合焦時の広角端（ａ）、中間状態（ｂ）、望遠端（ｃ）のレンズ断面図をそれぞれ図１〜図７に示す。図中、第１レンズ群はＧ１、開口絞りはＳ、第２レンズ群はＧ２、第３レンズ群はＧ３、ＩＲカットコートを施したローパスフィルターを構成する平行平板はＬＦ、電子撮像素子のカバーガラスの平行平板はＣＧ、像面はＩで示してある。なお、カバーガラスＣＧの表面に波長域制限用の多層膜を施してもよい。また、そのカバーガラスＣＧにローパスフィルター作用を持たせるようにしてもよい。
【００９５】
実施例１の結像光学系は、図１に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より像側に位置する。開口絞りＳと第２レンズ群Ｇ２は一体に物体側に単調に移動し、第３レンズ群Ｇ３は物体側に凸の軌跡を描いて移動し、望遠端では広角端の位置より像側に位置する。
【００９６】
物体側から順に、第１レンズ群Ｇ１は、物体側に凸面を向けた負メニスカスレンズ２枚と、物体側に凸面を向けた正メニスカスレンズからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【００９７】
非球面は、第１レンズ群Ｇ１の２枚目の負メニスカスレンズの像側の面と、第２レンズ群Ｇ２の最も物体側の面と最も像側の面の３面に用いている。
【００９８】
実施例２の結像光学系は、図２に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より像側に位置する。開口絞りＳと第２レンズ群Ｇ２は一体に物体側に単調に移動し、第３レンズ群Ｇ３は像側に移動する。
【００９９】
物体側から順に、第１レンズ群Ｇ１は、物体側に凸面を向けた負メニスカスレンズ２枚と、物体側に凸面を向けた正メニスカスレンズからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【０１００】
非球面は、第１レンズ群Ｇ１の２枚目の負メニスカスレンズの像側の面と、第２レンズ群Ｇ２の最も物体側の面と、第３レンズ群Ｇ３の物体側の面の３面に用いている。
【０１０１】
実施例３の結像光学系は、図３に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より像側に位置する。開口絞りＳと第２レンズ群Ｇ２は一体に物体側に単調に移動し、第３レンズ群Ｇ３は物体側に凸の軌跡を描いて移動し、望遠端では広角端の位置より像側に位置する。
【０１０２】
物体側から順に、第１レンズ群Ｇ１は、物体側に凸面を向けた負メニスカスレンズ２枚と、物体側に凸面を向けた正メニスカスレンズからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【０１０３】
非球面は、第１レンズ群Ｇ１の２枚目の負メニスカスレンズの像側の面と、第２レンズ群Ｇ２の最も物体側の面の２面に用いている。
【０１０４】
実施例４の結像光学系は、図４に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より像側に位置する。開口絞りＳと第２レンズ群Ｇ２は一体に物体側に単調に移動し、第３レンズ群Ｇ３は物体側に凸の軌跡を描いて移動し、望遠端では広角端の位置より像側に位置する。
【０１０５】
物体側から順に、第１レンズ群Ｇ１は、物体側に凸面を向けた負メニスカスレンズ２枚と、物体側に凸面を向けた正メニスカスレンズからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【０１０６】
非球面は、第１レンズ群Ｇ１の２枚目の負メニスカスレンズの像側の面と、第２レンズ群Ｇ２の最も物体側の正メニスカスレンズの物体側の面と、第２レンズ群Ｇ２の最も像側の両凸正レンズの物体側の面の３面に用いている。
【０１０７】
実施例５の結像光学系は、図５に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より像側に位置する。開口絞りＳと第２レンズ群Ｇ２は一体に物体側に単調に移動し、第３レンズ群Ｇ３は物体側に凸の軌跡を描いて移動し、望遠端では広角端の位置より像側に位置する。
【０１０８】
物体側から順に、第１レンズ群Ｇ１は、物体側に凸面を向けた負メニスカスレンズ２枚と、物体側に凸面を向けた正メニスカスレンズからなり、第２レンズ群Ｇ２は、物体側に凸面を向けた正メニスカスレンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【０１０９】
非球面は、第１レンズ群Ｇ１の２枚目の負メニスカスレンズの像側の面と、第２レンズ群Ｇ２の最も物体側の正メニスカスレンズの物体側の面と、第２レンズ群Ｇ２の最も像側の両凸正レンズの物体側の面と、第３レンズ群Ｇ３の像側の面の４面に用いている。
【０１１０】
実施例６の結像光学系は、図６に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より若干物体側に位置する。開口絞りＳと第２レンズ群Ｇ２は一体に物体側に単調に移動し、第３レンズ群Ｇ３は像側に移動する。
【０１１１】
物体側から順に、第１レンズ群Ｇ１は、物体側に凸面を向けた負メニスカスレンズと、物体側に凸面を向けた正メニスカスレンズからなり、第２レンズ群Ｇ２は、両凸正レンズと、物体側に凸面を向けた正メニスカスレンズと物体側に凸面を向けた負メニスカスレンズの接合レンズと、両凸正レンズからなり、第３レンズ群Ｇ３は両凸正レンズ１枚からなる。
【０１１２】
非球面は、第１レンズ群Ｇ１の負メニスカスレンズの像側の面と、第２レンズ群Ｇ２の最も物体側の両凸正レンズの両面の３面に用いている。
【０１１３】
実施例７の結像光学系は、図７に示すように、物体側から順に、負屈折力の第１レンズ群Ｇ１、開口絞りＳ、正屈折力の第２レンズ群Ｇ２、正屈折力の第３レンズ群Ｇ３から構成されており、広角端から望遠端への変倍をする際に、第１レンズ群Ｇ１は像側に凸の軌跡を描いて移動し、望遠端では広角端の位置より若干像側に位置する。開口絞りＳと第２レンズ群Ｇ２は一体に物体側に単調に移動し、第３レンズ群Ｇ３は像側に凸の軌跡を描いて移動し、望遠端では広角端の位置より像側に位置する。
【０１１４】
物体側から順に、第１レンズ群Ｇ１は、物体側に凸面を向けた負メニスカスレンズと、物体側に凸面を向けた正メニスカスレンズからなり、第２レンズ群Ｇ２は、両凸正レンズと、物体側に凸面を向けた正メニスカスレンズと物体側に凸面を向けた負メニスカスレンズの接合レンズと、物体側に凸面を向けた正メニスカスレンズからなり、第３レンズ群Ｇ３は両凸正レンズ１枚からなる。
【０１１５】
非球面は、第１レンズ群Ｇ１の負メニスカスレンズの像側の面と、第２レンズ群Ｇ２の最も物体側の両凸正レンズの物体側の面の２面に用いている。
【０１１６】
各実施例において、第１レンズ群Ｇ１の負メニスカスレンズは、物体側面にマルチコートを施すと共に、像側面に単層コートを施している。
【０１１７】
以下に、上記各実施例の数値データを示すが、記号は上記の外、ｆは全系焦点距離、ＦNOはＦナンバー、２ωは画角、ＷＥは広角端、ＳＴは中間状態、ＴＥは望遠端、φS ／２は絞り径、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１１８】
ｘ＝（ｙ2 ／ｒ）／［１＋｛１−（Ｋ＋１）（ｙ／ｒ）2 ｝1/2 ］
＋A4ｙ4 ＋A6ｙ6 ＋A8ｙ8 ＋ A10ｙ10 
ただし、ｒは近軸曲率半径、Ｋは円錐係数、A4、A6、A8、A10 はそれぞれ４次、６次、８次、１０次の非球面係数である。
【０１１９】
実施例１
ｒ1 =    36.860             ｄ1 =  1.20     ｎd1 =1.74100 νd1 =52.64 
ｒ2 =    11.241             ｄ2 =  3.12     
ｒ3 =    20.005             ｄ3 =  1.30     ｎd2 =1.74330 νd2 =49.33 
ｒ4 =     8.091 （非球面）  ｄ4 =  3.98     
ｒ5 =    15.491             ｄ5 =  3.01     ｎd3 =1.84666 νd3 =23.78 
ｒ6 =    33.328             ｄ6 = （可変）  
ｒ7 =     ∞（絞り）        ｄ7 =  0.80     
ｒ8 =    16.975 （非球面）  ｄ8 =  1.58     ｎd4 =1.69350 νd4 =53.21 
ｒ9 =    38.888             ｄ9 =  0.28     
ｒ10=     9.759             ｄ10=  4.61     ｎd5 =1.72000 νd5 =43.69 
ｒ11=    47.955             ｄ11=  0.89     ｎd6 =1.84666 νd6 =23.78 
ｒ12=     7.899             ｄ12=  1.51     
ｒ13=    22.430             ｄ13=  2.80     ｎd7 =1.48749 νd7 =70.23 
ｒ14=   -19.802 （非球面）  ｄ14= （可変）  
ｒ15=    20.122             ｄ15=  2.85     ｎd8 =1.49700 νd8 =81.54 
ｒ16=  -152.133             ｄ16= （可変）  
ｒ17=     ∞                ｄ17=  1.30     ｎd9 =1.54771 νd9 =62.84 
ｒ18=     ∞                ｄ18=  0.80     
ｒ19=     ∞                ｄ19=  0.50     ｎd10=1.51633 νd10=64.14 
ｒ20=     ∞                
非球面係数
第４面
Ｋ =-0.842
A4 =-6.74445×10-7
A6 =-2.55662×10-7
A8 =-4.63462×10-10 
A10=-3.76434×10-11 
第８面
Ｋ =-0.850
A4 =-1.89434×10-5
A6 =-7.45889×10-8
A8 = 0
A10= 0
第１４面
Ｋ =-0.429
A4 = 6.19289×10-5
A6 = 6.31162×10-8
A8 = 4.88137×10-8
A10= 0
ズームデータ（∞）
ＷＥ            ＳＴ            ＴＥ
ｆ (mm)             5.780          11.400          22.500 
ＦNO                2.85            3.41            4.86  
２ω (°)          78.5            43.8            22.6   
ｄ6                31.27           11.71            3.43  
ｄ14                5.77           13.82           33.94  
ｄ16                5.27            6.22            3.79  
φS ／２            3.60            3.90            4.25                    。
【０１２０】
実施例２
ｒ1 =    35.867             ｄ1 =  1.24     ｎd1 =1.78590 νd1 =44.20 
ｒ2 =    11.136             ｄ2 =  3.38     
ｒ3 =    23.278             ｄ3 =  1.30     ｎd2 =1.74330 νd2 =49.33 
ｒ4 =     8.404 （非球面）  ｄ4 =  3.03     
ｒ5 =    15.998             ｄ5 =  3.11     ｎd3 =1.84666 νd3 =23.78 
ｒ6 =    51.708             ｄ6 = （可変）  
ｒ7 =     ∞（絞り）        ｄ7 =  0.80     
ｒ8 =    18.343 （非球面）  ｄ8 =  2.11     ｎd4 =1.69350 νd4 =53.21 
ｒ9 =    39.619             ｄ9 =  0.05     
ｒ10=     9.929             ｄ10=  4.62     ｎd5 =1.72000 νd5 =43.69 
ｒ11=    41.025             ｄ11=  1.04     ｎd6 =1.84666 νd6 =23.78 
ｒ12=     8.029             ｄ12=  1.18     
ｒ13=    26.936             ｄ13=  2.19     ｎd7 =1.49700 νd7 =81.54 
ｒ14=   -15.731             ｄ14= （可変）  
ｒ15=    19.932 （非球面）  ｄ15=  3.34     ｎd8 =1.48749 νd8 =70.23 
ｒ16=  -135.370             ｄ16= （可変）  
ｒ17=     ∞                ｄ17=  1.30     ｎd9 =1.54771 νd9 =62.84 
ｒ18=     ∞                ｄ18=  0.80     
ｒ19=     ∞                ｄ19=  0.50     ｎd10=1.51633 νd10=64.14 
ｒ20=     ∞                
非球面係数
第４面
Ｋ =-0.841
A4 =-3.18836×10-5
A6 =-2.83895×10-7
A8 = 3.42260×10-11 
A10=-3.52479×10-11 
第８面
Ｋ =-6.573
A4 = 7.72043×10-5
A6 =-8.85647×10-7
A8 = 0
A10= 0
第１５面
Ｋ =-17.194 
A4 = 2.23176×10-4
A6 =-2.70882×10-6
A8 = 1.96635×10-8
A10= 0
ズームデータ（∞）
ＷＥ            ＳＴ            ＴＥ
ｆ (mm)             5.800          11.514          22.500 
ＦNO                2.84            3.42            4.80  
２ω (°)          77.9            43.2            22.5   
ｄ6                30.62           11.65            3.20  
ｄ14                4.56           13.89           32.82  
ｄ16                5.79            5.36            2.99  
φS ／２            3.45            3.8             4.15                    。
【０１２１】
実施例３
ｒ1 =    38.881             ｄ1 =  1.21     ｎd1 =1.72916 νd1 =54.68 
ｒ2 =    12.531             ｄ2 =  3.50     
ｒ3 =    21.795             ｄ3 =  1.30     ｎd2 =1.74330 νd2 =49.33 
ｒ4 =     8.298 （非球面）  ｄ4 =  4.02     
ｒ5 =    16.122             ｄ5 =  3.39     ｎd3 =1.84666 νd3 =23.78 
ｒ6 =    36.855             ｄ6 = （可変）  
ｒ7 =     ∞（絞り）        ｄ7 =  0.80     
ｒ8 =    15.694 （非球面）  ｄ8 =  2.25     ｎd4 =1.74330 νd4 =49.33 
ｒ9 =    34.961             ｄ9 =  0.24     
ｒ10=     9.281             ｄ10=  2.99     ｎd5 =1.75700 νd5 =47.82 
ｒ11=    28.352             ｄ11=  1.46     ｎd6 =1.84666 νd6 =23.78 
ｒ12=     7.211             ｄ12=  1.27     
ｒ13=    45.498             ｄ13=  2.83     ｎd7 =1.48749 νd7 =70.23 
ｒ14=   -16.301             ｄ14= （可変）  
ｒ15=    19.658             ｄ15=  2.70     ｎd8 =1.49700 νd8 =81.54 
ｒ16=  -120.480             ｄ16= （可変）  
ｒ17=     ∞                ｄ17=  1.30     ｎd9 =1.54771 νd9 =62.84 
ｒ18=     ∞                ｄ18=  0.80     
ｒ19=     ∞                ｄ19=  0.50     ｎd10=1.51633 νd10=64.14 
ｒ20=     ∞                
非球面係数
第４面
Ｋ =-0.869
A4 = 7.72245×10-6
A6 = 2.93661×10-8
A8 =-1.62810×10-9
A10=-1.46177×10-11 
第８面
Ｋ =-2.394
A4 = 2.73461×10-5
A6 =-1.11350×10-7
A8 = 0
A10= 0
ズームデータ（∞）
ＷＥ            ＳＴ            ＴＥ
ｆ (mm)             5.840          11.501          22.504 
ＦNO                2.84            3.37            4.82  
２ω (°)          77.8            43.6            22.7   
ｄ6                31.46           11.93            3.64  
ｄ14                3.53           12.82           33.10  
ｄ16                6.99            7.12            3.66  
φS ／２            3.45            3.85            4.20                    。
【０１２２】
実施例４
ｒ1 =    23.444             ｄ1 =  1.20     ｎd1 =1.63930 νd1 =44.87 
ｒ2 =    15.500             ｄ2 =  3.60     
ｒ3 =    35.523             ｄ3 =  1.30     ｎd2 =1.74320 νd2 =49.34 
ｒ4 =     8.249 （非球面）  ｄ4 =  3.89     
ｒ5 =    13.662             ｄ5 =  2.80     ｎd3 =1.84666 νd3 =23.78 
ｒ6 =    22.847             ｄ6 = （可変）  
ｒ7 =     ∞（絞り）        ｄ7 =  0.80     
ｒ8 =    14.631 （非球面）  ｄ8 =  1.40     ｎd4 =1.77250 νd4 =49.60 
ｒ9 =    34.012             ｄ9 =  0.10     
ｒ10=    10.239             ｄ10=  3.19     ｎd5 =1.77250 νd5 =49.60 
ｒ11=    26.955             ｄ11=  1.83     ｎd6 =1.84666 νd6 =23.78 
ｒ12=     7.358             ｄ12=  1.71     
ｒ13=    36.600 （非球面）  ｄ13=  3.14     ｎd7 =1.58313 νd7 =59.38 
ｒ14=   -21.350             ｄ14= （可変）  
ｒ15=    16.805             ｄ15=  2.70     ｎd8 =1.49700 νd8 =81.54 
ｒ16=  -153.231             ｄ16= （可変）  
ｒ17=     ∞                ｄ17=  1.30     ｎd9 =1.54771 νd9 =62.84 
ｒ18=     ∞                ｄ18=  0.80     
ｒ19=     ∞                ｄ19=  0.50     ｎd10=1.51633 νd10=64.14 
ｒ20=     ∞                
非球面係数
第４面
Ｋ =-0.595
A4 = 8.57632×10-6
A6 = 2.89918×10-8
A8 = 1.20170×10-9
A10=-2.23755×10-11 
第８面
Ｋ =-2.293
A4 = 5.18474×10-5
A6 =-3.33636×10-7
A8 =-1.97514×10-9
A10= 0
第１３面
Ｋ =-0.059
A4 = 9.11545×10-8
A6 = 8.13085×10-7
A8 =-1.60810×10-10 
A10= 0
ズームデータ（∞）
ＷＥ            ＳＴ            ＴＥ
ｆ (mm)             5.900          12.897          28.525 
ＦNO                2.80            3.60            4.90  
２ω (°)          77.1            39.4            17.8   
ｄ6                34.95            9.91            2.60  
ｄ14                3.84           11.20           36.06  
ｄ16                5.12            6.76            0.52  
φS ／２            3.27            3.32            4.37                    。
【０１２３】
実施例５
ｒ1 =    26.139             ｄ1 =  1.20     ｎd1 =1.74320 νd1 =49.34 
ｒ2 =    14.200             ｄ2 =  3.30     
ｒ3 =    26.285             ｄ3 =  1.30     ｎd2 =1.74320 νd2 =49.34 
ｒ4 =     8.448 （非球面）  ｄ4 =  3.66     
ｒ5 =    13.750             ｄ5 =  3.39     ｎd3 =1.84666 νd3 =23.78 
ｒ6 =    23.170             ｄ6 = （可変）  
ｒ7 =     ∞（絞り）        ｄ7 =  0.80     
ｒ8 =    15.165 （非球面）  ｄ8 =  1.72     ｎd4 =1.78800 νd4 =47.37 
ｒ9 =    33.388             ｄ9 =  0.10     
ｒ10=     9.515             ｄ10=  2.96     ｎd5 =1.74320 νd5 =49.34 
ｒ11=    26.822             ｄ11=  1.58     ｎd6 =1.84666 νd6 =23.78 
ｒ12=     7.283             ｄ12=  1.63     
ｒ13=    35.704 （非球面）  ｄ13=  3.10     ｎd7 =1.58313 νd7 =59.38 
ｒ14=   -19.396             ｄ14= （可変）  
ｒ15=    18.643             ｄ15=  2.70     ｎd8 =1.49700 νd8 =81.54 
ｒ16=  -371.719 （非球面）  ｄ16= （可変）  
ｒ17=     ∞                ｄ17=  1.30     ｎd9 =1.54771 νd9 =62.84 
ｒ18=     ∞                ｄ18=  0.80     
ｒ19=     ∞                ｄ19=  0.50     ｎd10=1.51633 νd10=64.14 
ｒ20=     ∞                
非球面係数
第４面
Ｋ =-0.606
A4 = 5.96675×10-6
A6 =-5.12154×10-10 
A8 = 1.15133×10-9
A10=-2.21290×10-11 
第８面
Ｋ =-2.476
A4 = 4.45482×10-5
A6 =-4.22739×10-7
A8 =-1.96055×10-9
A10= 0
第１３面
Ｋ =-0.199
A4 = 8.95360×10-6
A6 = 7.49249×10-7
A8 = 3.59024×10-10 
A10= 0
第１６面
Ｋ = 0.000
A4 = 1.54951×10-5
A6 =-4.91310×10-7
A8 = 1.39082×10-11 
A10= 0
ズームデータ（∞）
ＷＥ            ＳＴ            ＴＥ
ｆ (mm)             5.845          12.902          28.549 
ＦNO                2.80            3.50            4.90  
２ω (°)          77.8            39.1            17.9   
ｄ6                33.92           10.03            0.76  
ｄ14                3.21           12.00           34.73  
ｄ16                5.73            6.16            2.60  
φS ／２            3.26            3.49            4.16                    。
【０１２４】
実施例６
ｒ1 = 21714.389             ｄ1 =  1.30     ｎd1 =1.80610 νd1 =40.92 
ｒ2 =     8.162 （非球面）  ｄ2 =  2.87     
ｒ3 =    14.791             ｄ3 =  2.40     ｎd2 =1.84666 νd2 =23.78 
ｒ4 =    50.672             ｄ4 = （可変）  
ｒ5 =     ∞（絞り）        ｄ5 =  0.80     
ｒ6 =    13.330 （非球面）  ｄ6 =  1.90     ｎd3 =1.69350 νd3 =53.21 
ｒ7 =  -272.159 （非球面）  ｄ7 =  0.10     
ｒ8 =     7.488             ｄ8 =  2.10     ｎd4 =1.61800 νd4 =63.33 
ｒ9 =    17.487             ｄ9 =  2.27     ｎd5 =1.84666 νd5 =23.78 
ｒ10=     5.383             ｄ10=  1.50     
ｒ11=12241145.775           ｄ11=  1.15     ｎd6 =1.61800 νd6 =63.33 
ｒ12=   -25.461             ｄ12= （可変）  
ｒ13=    33.000             ｄ13=  2.00     ｎd7 =1.61800 νd7 =63.33 
ｒ14=   -33.000             ｄ14= （可変）  
ｒ15=     ∞                ｄ15=  0.96     ｎd8 =1.54771 νd8 =62.84 
ｒ16=     ∞                ｄ16=  0.60     
ｒ17=     ∞                ｄ17=  0.50     ｎd9 =1.51633 νd9 =64.14 
ｒ18=     ∞                
非球面係数
第２面
Ｋ =-0.744
A4 = 1.01099×10-11 
A6 = 2.55746×10-7
A8 =-4.50803×10-9
A10= 0
第６面
Ｋ = 0.000
A4 =-1.07809×10-5
A6 =-3.65463×10-7
A8 = 0
A10= 0
第７面
Ｋ = 0.000
A4 = 5.59162×10-5
A6 =-1.63843×10-7
A8 = 0
A10= 0
ズームデータ（∞）
ＷＥ            ＳＴ            ＴＥ
ｆ (mm)             7.952          14.692          27.270 
ＦNO                2.80            3.90            4.90  
２ω (°)          60.8            33.9            18.5   
ｄ4                22.28            9.82            2.20  
ｄ12                4.16           13.63           27.21  
ｄ14                5.64            4.00            2.80  
φS ／２            3.37            3.37            4.01                    。
【０１２５】
実施例７
ｒ1 =   110.048             ｄ1 =  2.00     ｎd1 =1.80400 νd1 =46.57 
ｒ2 =     8.847 （非球面）  ｄ2 =  3.52     
ｒ3 =    15.019             ｄ3 =  2.60     ｎd2 =1.80518 νd2 =25.42 
ｒ4 =    34.932             ｄ4 = （可変）  
ｒ5 =     ∞（絞り）        ｄ5 =  0.30     
ｒ6 =    17.789 （非球面）  ｄ6 =  1.92     ｎd3 =1.69350 νd3 =53.21 
ｒ7 =   -62.142             ｄ7 =  0.10     
ｒ8 =     7.284             ｄ8 =  2.30     ｎd4 =1.61800 νd4 =63.33 
ｒ9 =    15.673             ｄ9 =  2.50     ｎd5 =1.84666 νd5 =23.78 
ｒ10=     5.221             ｄ10=  2.60     
ｒ11=    29.011 5           ｄ11=  1.15     ｎd6 =1.51742 νd6 =52.43 
ｒ12=482171.189             ｄ12= （可変）  
ｒ13=    26.000             ｄ13=  2.47     ｎd7 =1.48749 νd7 =70.23 
ｒ14=   -26.000             ｄ14= （可変）  
ｒ15=     ∞                ｄ15=  0.96     ｎd8 =1.54771 νd8 =62.84 
ｒ16=     ∞                ｄ16=  0.60     
ｒ17=     ∞                ｄ17=  0.50     ｎd9 =1.51633 νd9 =64.14 
ｒ18=     ∞                
非球面係数
第２面
Ｋ =-0.581
A4 =-9.74609×10-11 
A6 = 6.60366×10-8
A8 =-1.64695×10-9
A10= 0
第６面
Ｋ = 0.000
A4 =-3.89622×10-5
A6 =-2.55361×10-7
A8 = 0
A10= 0
ズームデータ（∞）
ＷＥ            ＳＴ            ＴＥ
ｆ (mm)             7.840          15.493          30.176 
ＦNO                2.80            3.85            4.90  
２ω (°)          61.5            32.2            16.8   
ｄ4                29.24           12.49            3.10  
ｄ12                3.55           13.22           28.68  
ｄ14                5.04            4.00            4.10  
φS ／２            3.64            3.75            4.50                    。
【０１２６】
以上の実施例１〜７の無限遠物点合焦時の収差図をそれぞれ図８〜図１４に示す。これらの収差図において、（ａ）は広角端、（ｂ）は中間状態、（ｃ）は望遠端における球面収差、非点収差、歪曲収差、倍率色収差を示す。
【０１２７】
次に、上記各実施例における条件式（１）〜（７）の値、及び、条件式（８）に関するＤ11、Ｄ12、Ｄ31、Ｄ22、Ｄ21の値を示す。
【０１２８】
条件式  実施例１  実施例２  実施例３  実施例４  実施例５  実施例６  実施例７
（１）   -1.41     -1.48     -1.54     -1.54     -1.50     -1.44     -1.48
（２）    1.39      1.45      1.48      1.79      1.64      1.41      1.53
（３）   -0.005    -0.004    -0.006    -0.006    -0.006    -0.005    -0.006 
（４）    0.006     0.001     0.006    -0.005     0.010     0.000     0.007 
（５）    1.67      1.65      1.71      1.45      1.42      1.12      1.15
（６）    3.15      3.14      2.99      2.35      2.76      1.83      1.76
（７）   -1.95     -1.82     -1.78     -1.75     -1.74     -1.05     -1.29
Ｄ11   27.7      27.3      29.0      31.7      31.7      19.1      22.6 
Ｄ12   17.9      18.1      18.4      20.1      19.9      14.2      16.5 
Ｄ31   14.6      14.3      14.7      13.5      13.7      12.9      13.3 
Ｄ22   13.0      13.1      12.8      13.5      13.5      12.1      12.1 
Ｄ21   10.5      10.5      10.4      10.8      10.5      10.2      10.9 
。
【０１２９】
以上の実施例１〜７において、フォーカシングは第３レンズ群Ｇ３の物体側への繰り出しで行っている。
【０１３０】
また、上記数値データにおける絞り径φS ／２は、絞り径を円形とした場合の半径の値である。
【０１３１】
各実施例において、例えば絞りＳの構成を、図１５に示すように、円形形状の固定開口絞りＳ１と、それに隣接して配置した６枚の絞り羽根にて構成される六角形可変絞りＳ２とからなる構成としてもよい。その際に、広角端における絞り形状を、図１６（ａ）に示すように、正六角形とした場合、その対角長を以下のような値にすると、上記の実施例１〜７における広角端の面積と概略等しく構成される。
【０１３２】
実施例番号    広角端正六角形対角長    ＳW     望遠端円形直径    ＳT 
１              7.92              40.7        8.50          56.7
２              7.59              37.4        8.30          54.1
３              7.59              37.4        8.40          55.4
４              7.19              33.6        8.74          60
５              7.16              33.3        8.32          54.5
６              7.41              35.7        8.02          50.5
７              8.00              41.6        9.00          63.6      。
【０１３３】
この場合においても、望遠端においては、図１６（ｃ）に示すように、絞り羽根を退避させ、円形形状の固定開口絞りＳ１のみに軸上光束径を決める明るさ絞りの機能を担わせる。このようにすると、広角端から望遠端側になるにつれて、正六角形が拡大し、途中から正六角形の角が円形の開口絞りと重なる形状となり、望遠端側にて円形に近い形状となる。なお、図１６（ａ）は広角端開放状態、図１６（ｂ）は途中開放状態、図１６（ｃ）は望遠端開放状態を示し、図の正六角形の開口が六角形可変絞りＳ２の開口部を、円形が円形形状固定開口絞りＳ１の開口部を示す。そして、図１５（ａ）〜（ｃ）の斜線部分が両開口部の重なる部分を示している。
【０１３４】
このように、可変絞りは、光軸を挟んで配置される６枚の絞り羽根を移動させる構成とすることができる。六角形可変絞りＳ２の６枚の絞り羽根は、動力手段１４（例えば、モーターＭとギアＧ）にて制御させる。最大に退避した状態において、円形の開口部を持つ固定絞りＳ１が露呈される。このようにして、可変絞りの開口面積の変更を行うことができる。
【０１３５】
また、ズーム状態に対応する開放時の絞り位置を予めメモリー等の記憶手段１１に記憶させておき、制御手段１２にてズーミング状態情報１３（図示しないズーム移動のためのヘリコイドの移動情報等）と記憶手段１１の情報とから動力手段１４を制御し、それにより可変絞りＳ２の開放状態を制御する構成としている。このように構成して、ズーム状態に応じてそれに適した開口面積とすることができる。
【０１３６】
また、複数の形状固定絞りを配置したターレット等の固定絞り部材をズームレンズの光路中に抜き差しして、最大開口面積を制御する構成としてもよい。
【０１３７】
また、そのターレット等の固定絞り部材に形成した開口の形状を全て円形にして各々異なる面積とすると、簡易な構成ながら全ズーム状態の最小Ｆナンバー撮影時にきれいなボケを形成することができるようになる。
【０１３８】
また、開口部を抜き差しして制御する場合、ズーム状態に応じて最大面積に対応する開口部面積を持つ絞りが光軸上に配される構成としてもよい。
【０１３９】
また、開口面積が固定の絞りを光路中に配するときは、シャッターを別途光路中に設けるようにしてもよい。
【０１４０】
また、可変絞りは種々の構成が可能である。図１７に、可変絞りを５枚の絞り羽根にて構成した例を示す。また、この可変絞りにてシャッターの役目を兼用させるようにしている。なお、図１７において、各絞り羽根のサイズは説明のために短くして描いてあるが、実際は、絞り羽根の開口を形成するエッジ部分が図よりも長くなるように構成されるものである。
【０１４１】
また、開口形状は偶数枚の絞り羽根により形成される構成に限らず、例えばこの例のような５枚の絞り羽根にて、絞りによる開口形状を小さくしたときに概略五角形の開口形状をなすようにしてもよい。このように、本発明においては絞り羽根の枚数を奇数枚（例えば７枚等）としてもよい。
【０１４２】
また、図１７の例のように、開口形状が円形状に近くなるように、絞り羽根の光軸側のエッジ部分を凹形状の曲線にて構成するようにしてもよい。それにより、ボケ味がきれいになる。
【０１４３】
また、絞りは、撮影時におけるシャッターの役目を兼用させてもよい。それにより、部品点数の削減が行える。
【０１４４】
以下に、図１７の具体的説明をする。図の（ａ）は遮蔽状態のとき、（ｂ）は望遠端撮影時の開放状態のときの図を示すものである。それぞれの不透明な絞り羽根（遮蔽部材）１５ｃ、１５ｄ、１５ｅ、１５ｆ、１５ｇが固定ピン２２ｃ、２２ｄ、２２ｅ、２２ｆ、２２ｇを軸にして回動可能となっている。連結環２３を動力手段１４（例えば、モーターＭとギアＧ）で回動させると、その連結環２３に固定された突起部２４ｃ、２４ｄ、２４ｅ、２４ｆ、２４ｇが遮蔽部材１５ｃ、１５ｄ、１５ｅ、１５ｆ、１５ｇの基端を押し、それにより遮蔽部材１５ｃ、１５ｄ、１５ｅ、１５ｆ、１５ｇが外側に退避する。最大に退避した状態にて、円形の開口部を持つ固定絞りが露呈される。このようにして、シャッター兼可変絞りの透過・遮蔽動作を行うことができる。
【０１４５】
また、ズーム状態に対応する開放時の絞り位置を予めメモリー等の記憶手段１１に記憶させておき、制御手段１２にてズーミング状態情報１３（図示しないズーム移動のためのヘリコイドの移動情報等）と記憶手段１１の情報とから動力手段１４を制御し、それにより可変絞りＳ２の開放状態を制御する構成としている。このように構成して、ズーム状態に応じてそれに適した開口面積とすることができる。
【０１４６】
なお、記憶手段１１に記憶させておくデータは、全ズーム状態で連続的に開放面積を決定する構成としてもよいし、広角端近傍、望遠端近傍、中間状態近傍の３段階にてリニアに制御され、３段階の開放絞りとしてもよい。もちろん、２段階、５段階等の制御をするようにしてもよい。
【０１４７】
また、可変絞りの構成も、従来知られている種々の構成であってもよい。例えば、図１８（ａ）に望遠端開放状態、（ｂ）に広角端開放状態を示すように、円形の固定開口３１の前方若しくは後方近傍に、２枚の絞り羽根３２ａ、３２ｂが移動して、開口形状を変更する構成としてもよい。このとき、絞り羽根３２ａ、３２ｂのエッジ形状としては、図示のように、光軸側に凹の形状とするとよい。この場合も、シャッターを兼用することができる。
【０１４８】
図１８の可変絞り構成をさらに説明すると、２枚の可変絞り羽根３２ａ、３２ｂには、移動方向に設けれた図示しないガイド溝が設けられている。この２枚の可変絞り羽根３２ａ、３２ｂは、ズームレンズの光軸を中心として正方形の開口形状となるように、エッジ形状が形成されている。また、２枚の可変絞り３２ａ、３２ｂには、図示しないノコギリ歯状のギアを持ち、このギアがモーターＭと回転ギアＧに連結され、モーターＭの動作により移動制御されるように構成されている。ズームレンズの光軸を中心にして円形の固定開口３１が設けられた絞り基板には、図示しない固定ピンが設けられ、その固定ピンは、可変絞り羽根３２ａ、３２ｂのガイド溝に挟まれている。それにより、可変絞りの移動時のぶれを低減させている。撮影時の絞りの開口部の最大面積の制御方法は、図１５、図１７と同様であるので説明は省く。
【０１４９】
さて、以上のような本発明のズームレンズ、結像光学系で物体像を形成しその像をＣＣＤ等の撮像素子に受光させて撮影を行う撮影装置、とりわけデジタルカメラやビデオカメラ、情報処理装置の例であるパソコン、電話、特に持ち運びに便利な携帯電話等に用いることができる。以下に、その実施形態を例示する。
【０１５０】
図１９〜図２１は、本発明によるズームレンズをデジタルカメラの撮影光学系４１に組み込んだ構成の概念図を示す。図１９はデジタルカメラ４０の外観を示す前方斜視図、図２０は同後方斜視図、図２１はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１のズームレンズを通して撮影が行われる。撮影光学系４１によって形成された物体像が、ＩＲカットコートを施したローパスフィルターＬＦとカバーガラスＣＧを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１５１】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポロプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【０１５２】
このように構成されたデジタルカメラ４０は、撮影光学系４１が高性能で小型であるので、高性能・小型化が実現できる。
【０１５３】
なお、図２１の例では、カバー部材５０として平行平面板を配置しているが、パワーを持ったレンズを用いてもよい。
【０１５４】
次に、本発明のズームレンズが対物光学系として内蔵された情報処理装置の一例であるパソコンが図２２〜図２４に示される。図２２はパソコン３００のカバーを開いた前方斜視図、図２３はパソコン３００の撮影光学系３０３の断面図、図２４は図２２の状態の側面図である。図２２〜図２４に示されるように、パソコン３００は、外部から繰作者が情報を入力するためのキーボード３０１と、図示を省略した情報処理手段や記録手段と、情報を操作者に表示するモニター３０２と、操作者自身や周辺の像を撮影するための撮影光学系３０３とを有している。ここで、モニター３０２は、図示しないバックライトにより背面から照明する透過型液晶表示素子や、前面からの光を反射して表示する反射型液晶表示素子や、ＣＲＴディスプレイ等であってよい。また、図中、撮影光学系３０３は、モニター３０２の右上に内蔵されているが、その場所に限らず、モニター３０２の周囲や、キーボード３０１の周囲のどこであってもよい。
【０１５５】
この撮影光学系３０３は、撮影光路３０４上に、本発明によるズームレンズ（図では略記）からなる対物レンズ１１２と、像を受光する撮像素子チップ１６２とを有している。これらはパソコン３００に内蔵されている。
【０１５６】
ここで、撮像素子チップ１６２上には光学的ローパスフィルターＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端には、対物レンズ１１２を保護するためのカバーガラス１１４が配置されている。なお、鏡枠１１３中のズームレンズの駆動機構は図示を省いてある。
【０１５７】
撮像素子チップ１６２で受光された物体像は、端子１６６を介して、パソコン３００の処理手段に入力され、電子画像としてモニター３０２に表示される、図２２には、その一例として、操作者の撮影された画像３０５が示されている。また、この画像３０５は、処理手段を介し、インターネットや電話を介して、遠隔地から通信相手のパソコンに表示されることも可能である。
【０１５８】
次に、本発明のズームレンズが撮影光学系として内蔵された情報処理装置の一例である電話、特に持ち運びに便利な携帯電話が図２５に示される。図２５（ａ）は携帯電話４００の正面図、図２５（ｂ）は側面図、図２５（ｃ）は撮影光学系４０５の断面図である。図２５（ａ）〜（ｃ）に示されるように、携帯電話４００は、操作者の声を情報として入力するマイク部４０１と、通話相手の声を出力するスピーカ部４０２と、操作者が情報を入力する入力ダイアル４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図示せず）とを有している。ここで、モニター４０４は液晶表示素子である。また、図中、各構成の配置位置は、特にこれらに限られない。この撮影光学系４０５は、撮影光路４０７上に配置された本発明によるズームレンズ（図では略記）からなる対物レンズ１１２と、物体像を受光する撮像素子チップ１６２とを有している。これらは、携帯電話４００に内蔵されている。
【０１５９】
ここで、撮像素子チップ１６２上には光学的ローパスフィルターＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端には、対物レンズ１１２を保護するためのカバーガラス１１４が配置されている。なお、鏡枠１１３中のズームレンズの駆動機構は図示を省いてある。
【０１６０】
撮影素子チップ１６２で受光された物体像は、端子１６６を介して、図示していない処理手段に入力され、電子画像としてモニター４０４に、又は、通信相手のモニターに、又は、両方に表示される。また、通信相手に画像を送信する場合、撮像素子チップ１６２で受光された物体像の情報を、送信可能な信号へと変換する信号処理機能が処理手段には含まれている。
【図面の簡単な説明】
【０１６１】
【図１】本発明のズームレンズの実施例１の無限遠物点合焦時の広角端（ａ）、中間状態（ｂ）、望遠端（ｃ）でのレンズ断面図である。
【図２】実施例２のズームレンズの図１と同様のレンズ断面図である。
【図３】実施例３のズームレンズの図１と同様のレンズ断面図である。
【図４】実施例４のズームレンズの図１と同様のレンズ断面図である。
【図５】実施例５のズームレンズの図１と同様のレンズ断面図である。
【図６】実施例６のズームレンズの図１と同様のレンズ断面図である。
【図７】実施例７のズームレンズの図１と同様のレンズ断面図である。
【図８】実施例１の無限遠物点合焦時の収差図である。
【図９】実施例２の無限遠物点合焦時の収差図である。
【図１０】実施例３の無限遠物点合焦時の収差図である。
【図１１】実施例４の無限遠物点合焦時の収差図である。
【図１２】実施例５の無限遠物点合焦時の収差図である。
【図１３】実施例６の無限遠物点合焦時の収差図である。
【図１４】実施例７の無限遠物点合焦時の収差図である。
【図１５】可変絞りを円形形状の固定開口絞りと六角形可変絞りとから構成した例を示す光軸を含む断面図である。
【図１６】図１５の構成において可変絞りの広角端開放状態（ａ）、途中開放状態（ｂ）、望遠端開放状態（ｃ）を示す図である。
【図１７】可変絞りを５枚の絞り羽根にて構成した例を示す遮蔽状態のとき（ａ）と開放状態（ｂ）のときを示す図である。
【図１８】可変絞りを円形の固定開口と２枚の絞り羽根とから構成した例の望遠端開放状態（ａ）と広角端開放状態（ｂ）を示す図である。
【図１９】本発明によるズームレンズを組み込んだデジタルカメラの外観を示す前方斜視図である。
【図２０】図１９のデジタルカメラの後方斜視図である。
【図２１】図１９のデジタルカメラの断面図である。
【図２２】本発明によるズームレンズを対物光学系として組み込れたパソコンのカバーを開いた前方斜視図である。
【図２３】パソコンの撮影光学系の断面図である。
【図２４】図２２の状態の側面図である。
【図２５】本発明によるズームレンズを対物光学系として組み込れた携帯電話の正面図（ａ）、側面図（ｂ）、その撮影光学系の断面図（ｃ）である。
【符号の説明】
【０１６２】
Ｇ１…第１レンズ群
Ｇ２…第２レンズ群
Ｇ３…第３レンズ群
Ｓ…開口絞り
ＬＦ…ローパスフィルター
ＣＧ…カバーガラス
Ｉ…像面
Ｓ１…円形形状の固定開口絞り
Ｓ２…六角形可変絞り
Ｍ…モーター
Ｇ…ギア
Ｅ…観察者眼球
Ｆ…光学的ローパスフィルター
１１…記憶手段
１２…制御手段
１３…ズーミング状態情報
１４…動力手段
１５ｃ、１５ｄ、１５ｅ、１５ｆ、１５ｇ…絞り羽根（遮蔽部材）
２２ｃ、２２ｄ、２２ｅ、２２ｆ、２２ｇ…固定ピン
２３…連結環
２４ｃ、２４ｄ、２４ｅ、２４ｆ、２４ｇ…突起部
３１…円形の固定開口
３２ａ、３２ｂ…絞り羽根
４０…デジタルカメラ
４１…撮影光学系
４２…撮影用光路
４３…ファインダー光学系
４４…ファインダー用光路
４５…シャッター
４６…フラッシュ
４７…液晶表示モニター
４９…ＣＣＤ
５０…カバー部材
５１…処理手段
５２…記録手段
５３…ファインダー用対物光学系
５５…ポロプリズム
５７…視野枠
５９…接眼光学系
１１２…対物レンズ
１１３…鏡枠
１１４…カバーガラス
１６０…撮像ユニット
１６２…撮像素子チップ
１６６…端子
３００…パソコン
３０１…キーボード
３０２…モニター
３０３…撮影光学系
３０４…撮影光路
３０５…画像
４００…携帯電話
４０１…マイク部
４０２…スピーカ部
４０３…入力ダイアル
４０４…モニター
４０５…撮影光学系
４０６…アンテナ
４０７…撮影光路
【図１】
2005099091.tif 000003
【図２】
2005099091.tif 000004
【図３】
2005099091.tif 000005
【図４】
2005099091.tif 000006
【図５】
2005099091.tif 000007
【図６】
2005099091.tif 000008
【図７】
2005099091.tif 000009
【図８】
2005099091.tif 000010
【図９】
2005099091.tif 000011
【図１０】
2005099091.tif 000012
【図１１】
2005099091.tif 000013
【図１２】
2005099091.tif 000014
【図１３】
2005099091.tif 000015
【図１４】
2005099091.tif 000016
【図１５】
2005099091.tif 000017
【図１６】
2005099091.tif 000018
【図１７】
2005099091.tif 000019
【図１８】
2005099091.tif 000020
【図１９】
2005099091.tif 000021
【図２０】
2005099091.tif 000022
【図２１】
2005099091.tif 000023
【図２２】
2005099091.tif 000024
【図２３】
2005099091.tif 000025
【図２４】
2005099091.tif 000026
【図２５】
2005099091.tif 000027